(57)【特許請求の範囲】
【請求項１】
天井に本体を埋め込み、前記天井面からイオンを発生させ、前記本体は、円筒状を有しており下方にはフランジを有し、前記本体の天面に、遠心ファンを回転させるための電動機を保持する天板と前記電動機を設け、前記天板の下方に前記電動機に接続する遠心ファンを設け、前記本体の下端に吸込み口と吹出し口を有するグリルとを備え、前記グリルの形状に対して前記吸込み口と吹出し口は同心円形状に形成され、外周側に前記吹出し口を設け、吹出し口の形状にはグリル内周側である吹出し内部と前記天井面との間に鋭角をなす角度を設け、前記フランジの立ち上がり部に、前記グリルの外形より内側に突起部と、前記本体に取り付けられる前記グリルに、前記突起部が係合するように設けられた係合部を設けたものであって、前記突起部と前記天井面との隙間が、前記グリルに設けられた前記係合部の前記グリルの外郭からの距離と前記グリルの外郭厚みを足し合わせたものと同等の大きさであることと特徴とするイオン発生装置。
【請求項２】
天井に本体を埋め込み、前記天井面からイオンを発生させ、前記本体は、円筒状を有しており下方にはフランジを有し、前記本体の天面に、遠心ファンを回転させるための電動機を保持する天板と前記電動機を設け、前記天板の下方に前記電動機に接続する遠心ファンを設け、前記本体の下端に吸込み口と吹出し口を有するグリルとを備え、前記グリルの形状に対して前記吸込み口と吹出し口は同心円形状に形成され、外周側に前記吹出し口を設け、吹出し口の形状にはグリル内周側である吹出し内部と前記天井面との間に鋭角をなす角度を設け、前記本体の下端の前記吸込み口から前記本体に有するオリフィス部にかけて筒状の経路を通って前記遠心ファンに吸い込まれ全周に吹出し前記本体の吹出し口へ導く空気流路を設け、前記フランジの近傍の前記天井面と平行な断面形状が給気経路の面積に対して、排気経路の面積の合計が小さく、前記フランジの立ち上がり部に、前記グリルの外形より内側に突起部と、前記本体に取り付けられる前記グリルに、前記突起部が係合するように設けられた係合部を設けたものであって、前記突起部と前記天井面との隙間が、前記グリルに設けられた前記係合部の前記グリルの外郭からの距離と前記グリルの外郭厚みを足し合わせたものと同等の大きさであることと特徴とするイオン発生装置。
【発明の詳細な説明】
【技術分野】
【０００１】
本発明は、室内空間の除菌や脱臭を行うイオン発生装置に関するものである。
【背景技術】
【０００２】
従来、この種のイオン発生装置は、マイナスイオン発生手段によって発生したイオンを、ファンによって生じさせた空気の流れにのせて流出させたものが知られている（例えば、特許文献１参照）。
【０００３】
以下、そのイオン発生装置について図９を参照しながら説明する。
【０００４】
図９に示すように、イオン発生装置１０１は、略円筒形状のケース１０２内に、マイナスイオン発生手段１０３とファン１０４と直流変換用基板１０５と高電圧発生用基板１０６とを収納し、またケース１０２の下部外周にカサ部１０７を取り付けて構成されている。また、ケース１０２外周面の下記するファン１０４の空気取り入れ口１０８に対向する位置に複数本のスリットからなるファン用空気導入開口１０９が設けられている。
【０００５】
上記構成により、マイナスイオン発生手段１０３によって発生したマイナスイオンを、ファン１０４によって生じた空気の流れに乗せてケース１０２の下方に向けて流出させることができる。
【先行技術文献】
【特許文献】
【０００６】
【特許文献１】特開２００６−２３０７０６号公報
【発明の概要】
【発明が解決しようとする課題】
【０００７】
このような住宅の一部に取り付けるイオン発生装置においては、デザイン性を重視するため、給気と排気を同一面に設け、露出部を薄くすることが望まれている。しかし、給気と排気を同一面に設けるとショートサーキットが発生し、イオンが部屋全体に効率よく拡散できない場合があった、という課題を有していた。
【０００８】
そこで本発明は、上記従来の課題を解決するものであり、効率よくイオンを部屋全体にいきわたらせることができるイオン発生装置を提供することを目的とする。
【課題を解決するための手段】
【０００９】
そして、この目的を達成するために、本発明は、天井に本体を埋め込み、前記天井面からイオンを発生させ、前記本体は、円筒状を有しており下方にはフランジを有し、前記本体の天面に、遠心ファンを回転させるための電動機を保持する天板と前記電動機を設け、前記天板の下方に前記電動機に接続する遠心ファンを設け、前記本体の下端に吸込み口と吹出し口を有するグリルとを備え、前記グリルの形状に対して前記吸込み口と吹出し口は同心円形状に形成され、外周側に前記吹出し口を設け、吹出し口の形状にはグリル外周側と前記天井面との間に鋭角をなす角度を設けたこととしたものであり、これにより所期の目的を達成するものである。
【発明の効果】
【００１０】
本発明によれば、天井に本体を埋め込み、前記天井面からイオンを発生させ、前記本体は、円筒状を有しており下方にはフランジを有し、前記本体の天面に、遠心ファンを回転させるための電動機を保持する天板と前記電動機を設け、前記天板の下方に前記電動機に接続する遠心ファンを設け、前記本体の下端に吸込み口と吹出し口を有するグリルとを備え、前記グリルの形状に対して前記吸込み口と吹出し口は同心円形状に形成され、外周側に前記吹出し口を設け、吹出し口の形状にはグリル外周側と前記天井面との間に鋭角をなす角度を設けたという構成にしたことにより、吹き出し口を外周に設け外側に吹出し、吸込み流れによるイオンのショートカットを削減することとなるので、効率よくイオンを部屋全体にいきわたらせることができる、という効果を得ることができる。
【図面の簡単な説明】
【００１１】
【図１】本発明の実施の形態１のイオン発生装置を天井に取付けた状態の断面図
【図２】同イオン発生装置の内部を示す斜視図
【図３】同イオン発生装置の分解斜視図
【図４】同イオン発生装置を示す図（（ａ）側面図、（ｂ）断面図）
【図５】同イオン発生装置を天井に取付けた状態の断面図
【図６】同イオン発生装置のグリルが外れた状態の断面図
【図７】同イオン発生装置のグリルが外れた状態の拡大断面図
【図８】本発明の実施の形態２のイオン発生装置の斜視図
【図９】従来のイオン発生装置の天井に取り付けた状態を示す断面図
【発明を実施するための形態】
【００１２】
本発明のイオン発生装置は、天井に本体を埋め込み、前記天井面からイオンを発生させ、前記本体は、円筒状を有しており下方にはフランジを有し、前記本体の天面に、遠心ファンを回転させるための電動機を保持する天板と前記電動機を設け、前記天板の下方に前記電動機に接続する遠心ファンを設け、前記本体の下端に吸込み口と吹出し口を有するグリルとを備え、前記グリルの形状に対して前記吸込み口と吹出し口は同心円形状に形成され、外周側に前記吹出し口を設け、吹出し口の形状にはグリル外周側と前記天井面との間に鋭角をなす角度を設けた、という構成を有する。これにより、吹き出し口を外周に設け外側に吹出し、吸込み流れによるイオンのショートカットを削減することとなるので、効率よくイオンを部屋全体にいきわたらせることができる、という効果を奏する。
【００１３】
また、本体の下端の吸込み口から本体に有するオリフィス部にかけて筒状の経路を通って前記遠心ファンに吸い込まれ全周に吹出し前記本体の吹出し口へ導く空気流路を設け、フランジの近傍の天井面と平行な断面形状が給気経路の面積に対して、排気経路の面積の合計が小さい、という構成にしてもよい。これにより、面積を小さくし面風速を大きくし、イオンのショートカットを削減することとなるので、少ないイオンで、より効率よく室内にイオンを循環させることができる、という効果を奏する。
【００１４】
また、フランジ部の立ち上がり部に、グリルの外形より内側に突起部と、本体に取り付けられるグリルに、前記突起部が係合するように設けられた係合部を設けた、という構成にしてもよい。これにより、グリルを固定する爪が破損しても、本体の突起部とグリルの係合部が係合されるためグリルが落下することがなくなることとなるので、グリルの落下を防止することができる、という効果を奏する。
【００１５】
また、突起部と天井面との隙間が、グリルに設けられた係合部の前記グリルの外郭からの距離と前記グリルの外郭厚みを足し合わせたものと同等の大きさである、という構成にしてもよい。これにより、グリルの嵌合部分がすべて破損した場合、本体フランジの突起部にグリルの係止部が引っ掛かることとなるので、グリルの落下を防ぐとともにデザイン性をも向上させることができる、という効果を奏する。
【００１６】
また、グリルに設けられたグリルと同心円上の吸込口の内側に周囲を明るくする照明手段を設けた、という構成にしてもよい。これにより、照明手段とイオンの発生を容易に結合することとなるので、天井の取り合いもなくなり、照明とのデザイン性がよくなる、という効果を奏する。
【００１７】
以下、本発明の実施の形態について図面を参照しながら説明する。
【００１８】
（実施の形態１）
実施の形態１は、図１および図２に示すように、天井に本体を埋め込み、天井面からイオンを発生させるイオン発生装置に係るものであり、図１に示すように本体１は、円筒状を有しており下方にはフランジ２を有し、本体１の天面３には、遠心送風手段であるターボファン４とターボファン４を回転させる電動機５を有し、電動機５を保持する天板６を設け、天板６の下方には電動機５に接続するターボファン４を組み込んで構成されている。
【００１９】
また、本体１の左右すなわち側面には固定金具７を設け、図３に示すように固定金具７は固定金具７ａと根底金具７ｂの二つの部品で構成され、固定金具７ｂは固定金具７ａとの接触面を中心に回転でき、本体１にあいた穴８と固定金具７ａにあいた長穴９を貫通する金具専用ネジ１０の先端には、固定ナット１１が設けられている。金具専用ネジ１０を回転させることで、本体１に設けたコの字形状の壁１２によって回転方向の動きを規制された固定ナット１０が上下に移動し固定金具７を下方に移動させて、フランジ２と固定金具７とで天井を挟みこんで本体１を天井に固定することとなる。なお、フランジ２に設けてある取り付け穴１３にネジを差し込んで締め付けることで天井に取り付けることも可能である。
【００２０】
また、電動機５の軸方向の中央には電動機フランジ１４が設けられており、電動機５は天板６の上方よりネジで電動機フランジ１４を介して取付けられており、ターボファン４は電動機５を天板６に取り付けている面から軸１５にかけて覆い隠す形状となっている。
【００２１】
また、図３に示すように、本体１の下端に吸込み口１６と吹出し口１７を有するグリル１８とを備え、グリル１８の形状に対して吸込み口１６と吹出し口１７は同心円形状に形成され、外周側に吹出し口１７を設け、吹出し口１７の形状にはグリル１８外周側と天井面との間に鋭角をなす角度αを設けたという構成を有する。
【００２２】
また、本体１の下端の吸込み口１６から、オリフィス部１９にかけて筒状の経路２０を通ってターボファン４に吸い込まれ、全周に吹出し、また、グリル１８の吹出し口１７へ導く空気流路２１を設けられており、図４に示すように、フランジ２の近傍の天井面と平行な断面形状が給気経路である筒状の経路２０の面積に対して、排気経路となる空気流路２１の面積の合計が小さいという構成を有する。
【００２３】
また、図３に示すように、筒状の経路２０の外周部に静電霧化手段２２を設け、保護カバー２３にて覆っており、筒状の経路２０にも空気流路２１にも属さない場所に静電霧化手段２２が配置されている。保護カバー２３の下方には、静電霧化手段２２から発生したイオンを排出するイオン排出口２４を備え、イオン排出口２４が吹出し口１７近傍に設けられ、イオン排出口２４の大きさは直径５ミリメートル程度となっており、ユーザーの指が入り込まない大きさとなっている。なお、図１の矢印は空気の流れを示している。
【００２４】
また、図２および図５に示すように、フランジ２の立ち上がり部２５に、グリル１８の外形より内側に突起部２６と、本体１に取り付けられるグリル１８に、突起部２６が係合するように設けられた係合部２７を設けており、突起部２６と天井面との隙間２８が、グリル１８に設けられた係合部２７において、グリル１８の外郭から係合部２７の先端までの距離とグリル１８の外郭厚みを足し合わせたものと同等の大きさという構成を有する。
【００２５】
また、突起部２６と係合部２７は通常荷重がかかっておらず、図２に示すように、フランジ２とグリル１８を固定する手段として、グリル１８に爪２９、フランジ２に嵌合部３０を設けており、嵌合し支えている構成となっている。
【００２６】
また、図５に示すように電動機５および静電霧化手段２２をコントロールする基板３１を納める制御回路ケース３２は、本体１の外郭にあたる天板６と電動機５の上方に設置した構成となっている。
【００２７】
上記構成において、図１に示すように空気の流れを上流から追っていくと、ターボファン４はグリル１８中央の吸込み口１６を通じて部屋の空気を吸込み、ターボファン４によって遠心方向に均一に空気を送り出される。そして、均一に送り出された空気は、本体１の内壁に沿って下方に曲げられ、空気流路２１を通じて、グリル１８の吹出し口１７から均一に吹出す。また、静電霧化手段２２よりイオンが生成され、図３に示す吹出し口１７の近傍に設置してあるイオンを排出するためのイオン排出口２４から、静電霧化手段２２によって生成されたイオンが放出され、イオンは図１に示す吹出し口１７から吹出す風の流れにのって均一に部屋全体にいきわたることとなる。
【００２８】
また、吹出し内部１７ａと天井１００面のなす角がα、吹出し外部１７ｂと天井１００面のなす角がβとしたときに、β＞αの角度関係をもち、αは２０度前後の角度であるのが望ましい。
【００２９】
これにより、イオンを含んだ空気が吹出し口１７から外向きに放出されるので、部屋全体にいきわたらせることができる。
【００３０】
一方で、放出されたイオンが、吸込み口１６からすぐに吸い込まれないので、イオンのショートサーキットを減少させることができるので、効率よくイオンを含んだ空気を部屋全体にいきわたらせることができる。
【００３１】
また、排気経路である空気流路２１の面積を小さくすることで面風速を大きくし、吸込み口１６に吸い込まれにくくすることで、吹出し口１７からでるイオンのショートカットを削減することができるので、少ないイオンで、より効率よく室内にイオンを循環させることができる。
【００３２】
また、ターボファン４を使用することで、ケーシングが必要としなくなるため、本体１の円周方向の大きさを小さくすることができ、天井に取り付ける施工をする再に開ける穴を小さくできるため施工の手間が軽減することができる。
【００３３】
なお、ターボファン４は電動機５を覆いかぶさるように重なっており、更に、電動機５は天板６の窪み部１５の面に取り付けられているため、本体１の高さ方向を低く構成できることとなり、天井裏が低い場合でも設置することができる。
【００３４】
また、図６および図７に示すように、突起部２６と係合部２７の係合によって、万が一グリル１８とフランジ２を係合する爪２９と嵌合部３０が破損しても、本体１の突起部２６とグリルの係合部２７が係合されるためグリルが落下することがなくなることとなるので、グリルの落下を防止することができ、グリルの落下を防ぐとともにデザイン性をも向上させることができる。
【００３５】
また、天井面との隙間２８がグリル１８に設けられた係合部２７において、グリル１８の外郭から係合部２７の先端までの距離とグリル１８の外郭厚みを足し合わせたものと同等であるため、爪２９等が破損し、勢いよくグリル１８が落下しそうになっても、グリル１８は前方に飛び出すことなく確実に保持することができ、落下を防止することができる。
【００３６】
（実施の形態２）
実施の形態２は、図８に示すように、上記実施の形態１に対し、グリル１８に設けられたグリル１８と同心円上の吸込み口１６の内側に周囲を明るくする照明手段３３を設けた点が相違する。
【００３７】
上記構成により、照明手段とイオンの発生を容易に結合することとなるので、天井の取り合いもなくなり、照明とのデザイン性がよくなる。
【産業上の利用可能性】
【００３８】
本発明にかかるイオン発生装置は、天井に取り付けて広範囲にイオンを供給することができるため、イオンによってもたらすことができる効果や効能を居住空間に供給することに有用であり、また、クローゼットやバス、トイレ、または倉庫などの非居住空間においても有用である。
【符号の説明】
【００３９】
１    本体
２    フランジ
３    天面
５    電動機
６    天板
１６  吸込み口
１７  吹出し口
１８  グリル
１９  オリフィス部
２０  筒状の経路
２１  空気流路
２５  立ち上がり部
２６  突起部
２７  係合部
２８  隙間
３３  照明手段
【図１】
0005899418.tif 000002
【図２】
0005899418.tif 000003
【図３】
0005899418.tif 000004
【図４】
0005899418.tif 000005
【図５】
0005899418.tif 000006
【図６】
0005899418.tif 000007
【図７】
0005899418.tif 000008
【図８】
0005899418.tif 000009
【図９】
0005899418.tif 000010